(57)【要約】【課題】防水性に優れ、着脱容易な雨具を提供すること。【解決手段】本考案に係る雨具１は、靴カバー１０と、脚部カバー２０と、を備える。靴カバー１０の底部１０ｂは開口している。脚部カバー２０は筒状を成しており、靴カバー１０の上側の一部に被せて取り付けられるとともに、靴カバー１０から取り外し可能に設けられる。靴カバー１０および脚部カバー２０のそれぞれは、伸縮性および防水性を有する。靴カバー１０の上端側には、外側に折り返された折り返し部１２が設けられる。【選択図】図１
0003189978.tif 000002
【実用新案登録請求の範囲】
【請求項１】
底部が開口した靴カバーと、
前記靴カバーの上側の一部に被せて取り付けられるとともに、前記靴カバーから取り外し可能に設けられた筒状の脚部カバーと、を備え、
前記靴カバーおよび前記脚部カバーのそれぞれは伸縮性および防水性を有し、
前記靴カバーの上端側には、外側に折り返された折り返し部が設けられたことを特徴とする雨具。
【請求項２】
前記靴カバーの内周面および前記脚部カバーの内周面の少なくとも一方には凹凸が設けられていることを特徴とする請求項１記載の雨具。
【請求項３】
前記靴カバーの底部の開口における縁部分の厚さは、他の部分の厚さに比べて厚いことを特徴とする請求項１または２に記載の雨具。
【請求項４】
前記脚部カバーの上端側には、外側に折り返された折り返し部が設けられたことを特徴とする請求項１〜３のいずれか１つに記載の雨具。
【請求項５】
前記靴カバーおよび前記脚部カバーの材料はシリコーンゴムを含むことを特徴とする請求項１〜４のいずれか１つに記載の雨具。
【請求項６】
前記靴カバーと前記脚部カバーとの間には、ボタンおよび面ファスナーの少なくともいずれかを用いた取り付け手段が設けられた請求項１〜５のいずれか１つに記載の雨具。
【考案の詳細な説明】
【技術分野】
【０００１】
本考案は、靴および脚をカバーして雨に濡れることを防ぐ雨具に関する。
【背景技術】
【０００２】
従来より、雨天のときなどに靴や脚が濡れないようにする雨具が用いられている。例えば、特許文献１においては、膝下から靴までを覆う筒状のカバーを有する雨具が開示されている。この雨具では、筒状のカバーに伸縮性の網状部材を設け、着用した際に脚にフィットするように設けられている。
【０００３】
また、特許文献２においては、靴を覆う第１カバーと、膝下を覆う第２カバーとを備えた雨具が開示されている。この雨具では、第１カバーと第２カバーとが分離しているため、雨具の着脱が用意に行えるようになっている。
【先行技術文献】
【特許文献】
【０００４】
【特許文献１】特開平１０−２１２６１３号公報
【特許文献２】特開２０１０−２１４０６４号公報
【考案の概要】
【考案が解決しようとする課題】
【０００５】
しかしながら、特許文献１に記載の雨具においては、靴と膝下とを覆う筒状のカバーとが一体的に設けられている。したがって、筒状のカバーが非常に長いため、装着するのに手間がかかる。一方、特許文献２に記載の雨具においては、靴を覆う第１カバーと、膝下を覆う第２カバーとが分離しているため、装着は容易である。しかし、分離部分や繋ぎ目から雨水が浸入しやすく、十分な防水性を得られないという問題がある。
【０００６】
本考案は、防水性に優れ、着脱容易な雨具を提供する。
【課題を解決するための手段】
【０００７】
上記課題を解決するため、本考案に係る雨具は、靴カバーと、脚部カバーと、を備える。靴カバーの底部は開口している。脚部カバーは筒状を成しており、靴カバーの上側の一部に被せて取り付けられるとともに、靴カバーから取り外し可能に設けられる。靴カバーおよび脚部カバーのそれぞれは、伸縮性および防水性を有する。靴カバーの上端側には、外側に折り返された折り返し部が設けられる。
【０００８】
このような構成によれば、靴カバーと脚部カバーとが分離され、取り付け／取り外し自在に設けられているため、広い範囲をカバーできる雨具であっても利用者は容易に着脱することができる。また、脚部カバーが靴カバーの上側の一部に被せられ、脚部の上端側に折り返し部が設けられていることから、分離部分から内部へ水が浸入することを効果的に防止することができる。さらに、靴カバーおよび脚部カバーが伸縮性および防水性を有するため、靴や脚部にフィットしてデザイン性および機能性に優れた雨具が提供される。
【０００９】
また、本考案に係る雨具において、靴カバーの内周面および脚部カバーの内周面の少なくとも一方に凹凸が設けられていてもよい。このような構成によれば、もし水が内側に浸入したとしても、凹凸による隙間から水を下方に効率良く導いて排出させることができる。
【００１０】
また、本考案に係る雨具において、靴カバーの底部の開口における縁部分の厚さは、他の部分の厚さに比べて厚く設けられていてもよい。このような構成によれば、靴カバーの底部の縁部分の強度が高まるとともに、靴カバーの底部の縁部分を靴の底に確実に引っ掛けて固定できるようになる。
【００１１】
また、本考案に係る雨具において、脚部カバーの上端側には、外側に折り返された折り返し部が設けられていてもよい。このような構成によれば、脚部カバーの上端側から内部への水の浸入を折り返し部分によって効果的に防止することができるようになる。
【００１２】
また、本考案に係る雨具において、靴カバーおよび脚部カバーの材料はシリコーンゴムを含むようにしてもよい。このような構成によれば、靴カバーおよび脚部カバーの伸縮性および防水性を高めることができるようになる。
【００１３】
また、本考案に係る雨具において、靴カバーと脚部カバーとの間には、ボタンおよび面ファスナーの少なくともいずれかを用いた取り付け手段が設けられていてもよい。このような構成によれば、靴カバーと脚部カバーとの取り付けや取り外しを容易に行うことができ、雨具の着脱を簡単に行うことができるようになる。
【考案の効果】
【００１４】
本考案によれば、防水性に優れ、着脱容易な雨具が提供される。
【図面の簡単な説明】
【００１５】
【図１】本実施形態に係る雨具を例示する斜視図である。
【図２】靴カバーの底部を例示する図である。
【図３】本実施形態に係る雨具を例示する断面図である。
【図４】装着方法を例示する斜視図である。
【図５】他の雨具を例示する斜視図である。
【考案を実施するための形態】
【００１６】
以下、本考案の実施形態を図に基づき説明する。なお、本願明細書と各図において、既出の図に関して前述したものと同様の要素には同一の符号を付して詳細な説明は適宜省略する。
【００１７】
図１の斜視図に表したように、本実施形態に係る雨具１は、靴カバー１０と、脚部カバー２０と、を備える。靴カバー１０は、利用者の靴４０を覆うように装着される。靴カバー１０は概ね利用者の足首５３あたりから靴４０の周りを覆うように被せられる。
【００１８】
脚部カバー２０は、利用者の脚部５０のうち例えば膝５４から下を覆うように装着される。脚部カバー２０は筒状になっており、装着の際には下端２０ｂ側の一部が靴カバー１０の上端１０ｔ側の一部の上に被せられる。脚部カバー２０は、接続手段３０によって靴カバー１０と接続される。
【００１９】
雨具１は、靴カバー１０と脚部カバー２０とが分離しており、しかも脚部カバー２０は接続手段３０によって靴カバー１０から容易に取り付け／取り外しすることができる。このため、膝５４の下から足５１まで広い範囲をしっかりカバーできる雨具１であっても、利用者は容易に着脱することができる。
【００２０】
接続手段３０としては、ボタンや面ファスナーが用いられる。接続手段３０として、ボタンと面ファスナーの両方を用いてもよい。また、着脱が容易なものであれば、ボタン、面ファスナー以外を用いてもよい。
【００２１】
靴カバー１０および脚部カバー２０は、伸縮性および防水性を有する材料によって形成される。このような特性を持たせるため、靴カバー１０および脚部カバー２０の材料としては、例えば、天然ゴム、イソプレンゴム、ブタジエンゴム、クロロプレンゴム、ウレタンゴム、シリコーンゴムが挙げられる。
この中でも、伸縮性、防水性、製造容易性、耐久性、機能安定性などの観点から、特にシリコーンゴムを含む材料が好ましい。
【００２２】
靴カバー１０が伸縮性を有していることで、装着の際に靴４０の周りに綺麗にフィットさせることができる。これにより、見た目のデザインがスッキリするとともに、歩くときに邪魔にならない。
【００２３】
また、脚部カバー２０も伸縮性を有しているため、装着の際に脚部カバー２０を下腿部５２にフィットさせることができる。
【００２４】
靴カバー１０および脚部カバー２０の主要部の肉厚は、薄いほどフィット性は高まるが、薄すぎると耐久性を損なう。したがって、シリコーンゴムを用いる場合、靴カバー１０および脚部カバー２０の主要部の肉厚は、約１ｍｍ〜１．５ｍｍ程度が好ましい。
【００２５】
靴カバー１０および脚部カバー２０のそれぞれは、縫い目なく一体成型されていることが望ましい。縫い目をなくすことで、防水性を高めることができる。
【００２６】
靴カバー１０を装着した状態では、靴カバー１０の上端１０ｔは足首５３よりも上方の位置にまで到達する。本実施形態に係る雨具１において、靴カバー１０の上端１０ｔ側には外側に折り返された折り返し部１２が設けられている。外側に折り返された折り返し部１２が設けられていることで、上端１０ｔ側からの水（歩行時のはね返り水など）の浸入を効果的に抑制することができる。
【００２７】
本実施形態では、脚部カバー２０の下端２０ｂは、足首５３よりも下まで設けられる。例えば、脚部カバー２０の裾部分は、靴カバー１０の折り返し部１２の上から足の甲５１の上側あたりまで被せられる。したがって、脚部カバー２０の外側に付着した水は、上から下に垂れてきても靴カバー１０の内部に入り込まない。一方、歩いているときに跳ね上げた水が脚部カバー２０の下端２０ｂ側から内部に浸入する可能性はある。しかし、上記のように靴カバー１０の上端１０ｔ側に折り返し部１２が設けられていることで水の返しになり、靴カバー１０の内側への水の浸入を抑制することができる。
【００２８】
本実施形態に係る雨具１において、靴カバー１０の底部１０ｂには開口１１が設けられる。図２に表したように、靴カバー１０を装着した状態で靴底４０ｂが開口１１から露出する。これにより、靴カバー１０を装着しても、靴底４０ｂで直接地面を捉えることができる。すなわち、靴カバー１０を装着しても、靴底４０ｂの性能を損なわずに済む。また、底部１０ｂに開口１１が設けられていることで、靴カバー１０の内部に水が浸入した場合でも、水を開口１１から外へ容易に排出できることになる。
【００２９】
靴カバー１０の底部１０ｂの開口１１における縁部分１３の厚さは、他の部分の厚さよりも厚くなっている。開口１１の縁部分１３は靴底４０ｂと接するため、十分な強度が必要である。このように縁部分１３を厚くしておくことで、縁部分１３の強度が高まる。さらに、靴カバー１０を靴４０に装着する際、縁部分１３を靴底４０ｂに確実に引っ掛けて固定できるようになる。
【００３０】
本実施形態に係る雨具１においては、靴カバー１０の内周面および脚部カバー２０の内周面の少なくとも一方に凹凸が設けられる。図３の断面図に表した例では、靴カバー１０の内周面に凹凸１５が設けられ、脚部カバー２０の内周面に凹凸２５が設けられている。凹凸１５，２５が設けられていると、靴カバー１０や脚部カバー２０を装着した際、靴４０や下腿部５２に密着し過ぎることがなくなる。また、たとえ水が内側に浸入した場合でも、凹凸１５，２５による隙間からその水を下方に導いて、効率良く排出させることができるようになる。
【００３１】
凹凸１５，２５の形状としては、凸部分が島状（ドット状）になっていても、凹部分がストライプ状になっていてもよい。脚部カバー２０に設けられた凹凸２５の凹部分がストライプ状になっている場合には、凹部分が縦方向に延びていることが望ましい。靴カバー１０に設けられた凹凸１５の凹部分がストライプ状になっている場合には、凹部分が開口１１まで達していることが望ましい。これにより、凹凸１５の凹部分を介して水を開口１１から効率よく排出できる。
【００３２】
ここで、本実施形態に係る雨具１の装着手順の一例について説明する。図４に表したように、先ず、筒状の脚部カバー２０を足先から履くようにして通し、膝５４の下あたりで纏めておく。次に、靴カバー１０を足先から履くように通し、足首５３の上あたりで纏めておく。なお、靴カバー１０および脚部カバー２０は伸縮性を有するため、これらの装着は靴４０を履いたままでも容易に行うことができる。
【００３３】
次に、靴カバー１０の底部１０ｂを引っ張り、開口１１から靴４０に被せるように装着する。続いて、脚部カバー２０の下端２０ｂを引っ張り、靴カバー１０の上端１０ｔ側の一部に重ねるように被せる。そして、接続手段３０によって脚部カバー２０を靴カバー１０に固定する。靴カバー１０および脚部カバー２０ともに伸縮性を有するため、靴カバー１０および脚部カバー２０を引っぱって被せるときにも、その伸縮性を利用して容易かつ確実に装着することができる。
【００３４】
次に、本実施形態に係る雨具１の他の例について説明する。
図５の斜視図に表したように、本実施形態に係る雨具１の脚部カバー２０は、膝５４の上までカバーできる長さに設けられている。
【００３５】
脚部カバー２０の上端２０ｔが膝５４の上まであると、脚部カバー２０の折り返し部２２を膝５４の上に引っ掛けることができ、脚部カバー２０のズレ落ちを抑制することができる。また、脚部カバー２０によって脚部５０の広い範囲をカバーできるため、より雨具１としての性能が高まるとともに、保温性にも優れる。
【００３６】
以上説明したように、実施形態によれば、防水性に優れ、着脱容易な雨具１を提供することができる。
【００３７】
なお、上記に本実施形態およびその他の例を説明したが、本考案はこれらの例に限定されるものではない。例えば、前述の実施形態またはその変形例に対して、当業者が適宜、構成要素の追加、削除、設計変更を行ったものであっても、本考案の要旨を備えている限り、本考案の範囲に含有される。
【符号の説明】
【００３８】
１…雨具、１０…靴カバー、１１…開口、１２…折り返し部、１３…縁部分、１５…凹凸、２０…脚部カバー、２２…折り返し部、３０…接続手段
【図１】
0003189978.tif 000003
【図２】
0003189978.tif 000004
【図３】
0003189978.tif 000005
【図４】
0003189978.tif 000006
【図５】
0003189978.tif 000007